(57)【要約】【課題】複数のランプを光源とする投射型プロジェクタにおいて、ランプを交換する際に作業者が高電圧部に接触することや、強い光または紫外線に曝されることを防止するとともに、より小型化された投射型プロジェクタを提供する。【解決手段】保護カバー固定器８は、マーカー検出器９により検出されたマーカー１２からの信号に基づいて動作し、ランプユニット５０が投射型プロジェクタ１００から所定距離以上離れた外部にあって、保護カバー６が、ランプ交換口１１を覆っている状態では保護カバー６の動きを規制する位置に移動し、ランプユニット５０が投射型プロジェクタ１００に所定距離よりも近い位置にある場合は保護カバー６の動きを規制しない位置に移動する。【選択図】図７
2012113029.tif 000002
【特許請求の範囲】
【請求項１】
複数のランプを光源として映像を投射する投射型プロジェクタであって、
前記複数のランプを個々に収容して、前記投射型プロジェクタへの取り付け取り外しをランプごとに可能とするランプユニットと、
前記投射型プロジェクタの映像投射方向以外の面に設けられた、前記ランプユニットの出し入れのためのランプ交換口を内部から覆う、開閉自在の保護カバーと、
前記保護カバーの動きを規制する保護カバー固定器と、
前記投射型プロジェクタの前記ランプ交換口近傍の外壁面に設けられ、前記ランプユニットに取り付けられた前記ランプユニットの位置を信号により報知する信号発生器からの信号を受けてランプユニットの位置を検出する検出器と、を備え、
前記保護カバーは、
前記ランプユニットが前記投射型プロジェクタ内にある場合は、前記ランプユニットによって前記投射型プロジェクタ内に押し込まれて前記ランプ交換口を開放した状態とし、前記ランプユニットが前記投射型プロジェクタ内から引き出されるにつれて前記ランプ交換口を覆う方向に近づき、前記ランプユニットが前記投射型プロジェクタ外にある場合は前記ランプ交換口を覆い、
前記保護カバー固定器は、
前記検出器により検出された前記信号発生器からの信号に基づいて動作し、前記ランプユニットが前記投射型プロジェクタから所定距離以上離れた外部にあって、前記保護カバーが、前記ランプ交換口を覆っている状態では前記保護カバーの動きを規制する位置に移動し、前記ランプユニットが前記投射型プロジェクタに前記所定距離よりも近い位置にある場合は前記保護カバーの動きを規制しない位置に移動する、投射型プロジェクタ。
【請求項２】
前記信号発生器は、
前記ランプユニットの光を投射する前面に対して左右となる２つ側面の前記前面に近い部分に、左右で異なる個数および非対称な配置となるように設け、
前記検出器は、
前記ランプ交換口近傍の外壁面に、前記信号発生器の配置に合わせて、左右で異なる個数および非対称な配置となるように設けられる、請求項１記載の投射型プロジェクタ。
【請求項３】
前記信号発生器は、
前記ランプユニットの光を投射する前面の左右において、左右で異なる個数および非対称な配置となるように設け、
前記検出器は、
前記ランプ交換口近傍の外壁面に、前記信号発生器の配置に合わせて、左右で異なる個数および非対称な配置となるように設けられる、請求項１記載の投射型プロジェクタ。
【請求項４】
前記ランプユニットが前記投射型プロジェクタに前記所定距離よりも近い位置にあることを前記検出器が検出している時間が第１の期間以上になった場合、警告音を発する放音部をさらに備える、請求項１記載の投射型プロジェクタ。
【請求項５】
前記ランプユニットが前記投射型プロジェクタに前記所定距離よりも近い位置にあることを前記検出器が検出している時間が第１の期間以上になった場合、投射映像に警告メッセージを表示する警告表示機能をさらに備える、請求項１記載の投射型プロジェクタ。
【請求項６】
前記ランプユニットが前記投射型プロジェクタに前記所定距離よりも近い位置にあることを前記検出器が検出している時間が前記第１の期間以上となり、さらに第２の期間以上となる場合は、前記複数のランプのうち点灯しているランプを消灯する機能をさらに備える、請求項４または請求項５記載の投射型プロジェクタ。
【請求項７】
前記ランプ交換口の開口寸法は、
前記ランプユニットの最大部分が通り抜ける程度の寸法に設定される、請求項１記載の投射型プロジェクタ。
【請求項８】
前記保護カバーは、
一方の端縁部が前記ランプ交換口側の前記投射型プロジェクタ内壁面に固定された片持ちの状態にあって、固定された端縁部を起点とした煽り動作により、前記ランプ交換口の開閉を行う、請求項１記載の投射型プロジェクタ。
【請求項９】
前記保護カバーを前記ランプ交換口の方向に付勢する付勢手段を備える、請求項８記載の投射型プロジェクタ。
【発明の詳細な説明】
【技術分野】
【０００１】
本発明は投射型プロジェクタに関し、特に、光源となるランプの交換を安全に行うことができる投射型プロジェクタに関する。
【背景技術】
【０００２】
投射型プロジェクタでは、高輝度を実現するために、その光源として高圧水銀ランプを使用しているが、ランプ点灯時には高圧パルスを与える必要があるため、他の電気回路や使用者に影響を与えないように、高圧パルスの発生箇所からＵＬ規格などの安全規格で規定されている空間距離を確保する必要がある。ここで、ＵＬ規格とは”Underwriters Laboratories Inc.”という米国の試験・認証機関が規定する規格である。
【０００３】
また、ランプ点灯中には強い光や紫外線を発するため、複数のランプを備えた投射型プロジェクタにおいては、あるランプが点灯中に他のランプを交換するといった場合には、作業者を強い光や紫外線から保護する必要がある。
【０００４】
従来の投射型プロジェクタでは、作業者がランプを交換する際に、高電圧部に接触することや、強い光や紫外線に曝されることを防止するために、外郭の一部を構成するランプカバーを作業者が開けたら、ランプへの電力供給を断ち、ランプを消灯するなどの保護手段を設けていた。さらに、特許文献１に記載のプロジェクタのように、高圧パルスが印加されるランプの電極端子および電力供給ワイヤの引き出し口を絶縁する方法なども採用されている。
【先行技術文献】
【特許文献】
【０００５】
【特許文献１】特開平２００７−２８６０９８号公報（５−７頁、図１）
【発明の概要】
【発明が解決しようとする課題】
【０００６】
ランプを１個だけ備えた投射型プロジェクタであれば、上記のような保護手段でも十分であるが、ランプを複数個備えた投射型プロジェクタであって、あるランプを点灯させている間に、他のランプを交換するといった作業を許容する構成においては、点灯しているランプからの強い光や紫外線の漏れを十分に抑えたり、高圧パルス印加部への作業者の手の侵入を防止する必要があるが、従来の保護手段では不十分であった。そのため、高圧パルス印加部への作業者の接近を防止するために、個々のランプの高圧パルス印加部からの空間距離を十分に確保するためにランプの配設間隔を広げることが必要となり、装置が小型化できないという問題があった。
【０００７】
本発明は上記のような問題点を解消するためになされたもので、複数のランプを光源とする投射型プロジェクタにおいて、ランプを交換する際に作業者が高電圧部に接触することや、強い光または紫外線に曝されることを防止するとともに、より小型化された投射型プロジェクタを提供することを目的とする。
【課題を解決するための手段】
【０００８】
本発明に係る投射型プロジェクタの態様は、複数のランプを光源として映像を投射する投射型プロジェクタであって、前記複数のランプを個々に収容して、前記投射型プロジェクタへの取り付け取り外しをランプごとに可能とするランプユニットと、前記投射型プロジェクタの映像投射方向以外の面に設けられた前記ランプユニットの出し入れのためのランプ交換口を内部から覆う開閉自在の保護カバーと、前記保護カバーの動きを規制する保護カバー固定器と、前記投射型プロジェクタの前記ランプ交換口近傍の外壁面に設けられ、前記ランプユニットに取り付けられた前記ランプユニットの位置を信号により報知する信号発生器からの信号を受けてランプユニットの位置を検出する検出器とを備え、前記保護カバーは、前記ランプユニットが前記投射型プロジェクタ内にある場合は、前記ランプユニットによって前記投射型プロジェクタ内に押し込まれて前記ランプ交換口を開放した状態とし、前記ランプユニットが前記投射型プロジェクタ内から引き出されるにつれて前記ランプ交換口を覆う方向に近づき、前記ランプユニットが前記投射型プロジェクタ外にある場合は前記ランプ交換口を覆い、前記保護カバー固定器は、前記検出器により検出された前記信号発生器からの信号に基づいて動作し、前記ランプユニットが前記投射型プロジェクタから所定距離以上離れた外部にあって、前記保護カバーが、前記ランプ交換口を覆っている状態では前記保護カバーの動きを規制する位置に移動し、前記ランプユニットが前記投射型プロジェクタに前記所定距離よりも近い位置にある場合は前記保護カバーの動きを規制しない位置に移動する。
【発明の効果】
【０００９】
本発明に係る投射型プロジェクタの態様によれば、ランプユニットを取り外した状態においては、保護カバー固定器が閉じた状態となり、保護カバーが、作業者の手などでランプ交換口の外側から押された場合でも、保護カバーが内側に向けて開くことが防止され、作業者の手が投射型プロジェクタ内に進入して、高圧パルスが印加される部分に接触することや、点灯しているランプからの強い光や紫外線の漏れを最小限に抑えることができる。さらに、保護カバーを設けることで個々のランプの高圧パルス印加部からの空間距離を確保することができるので、複数のランプを近接して配置することが可能となり、複数のランプを備える投射型プロジェクタであっても小型化が可能となる。
【図面の簡単な説明】
【００１０】
【図１】本発明に係る投射型プロジェクタの光源部分であるランプユニットの概略構成を示す斜視図である。
【図２】本発明に係る投射型プロジェクタの外観を示す斜視図である。
【図３】本発明に係る投射型プロジェクタの部分断面図である。
【図４】本発明に係る投射型プロジェクタにおけるランプユニットの取り外し動作を説明する断面図である。
【図５】本発明に係る投射型プロジェクタにおけるランプユニットの取り外し動作を説明する断面図である。
【図６】本発明に係る投射型プロジェクタにおけるランプユニットの取り外し動作を説明する平面図である。
【図７】本発明に係る投射型プロジェクタにおけるランプユニットの取り外し動作を説明する断面図である。
【図８】ランプユニットにおけるマーカーの配置例を示す斜視図である。
【図９】本発明に係る投射型プロジェクタにおいてランプユニットを適切な向きに取り付ける状態を示す斜視図である。
【図１０】本発明に係る投射型プロジェクタにおいてランプユニットを不適切な向きに取り付ける状態を示す斜視図である。
【発明を実施するための形態】
【００１１】
＜実施の形態＞
＜装置構成＞
図１は、本発明に係る実施の形態の投射型プロジェクタの光源部分であるランプユニット５０の概略構成を示す斜視図である。図１に示すようにランプユニット５０は、ランプ４と、ランプ４を点灯させるためのランプ電力を供給するランプ電力供給ケーブルＣ１およびＣ２と、ランプハウジング５と、ランプハウジング５の側面から外部に突出し、ケーブルＣ１およびＣ２の一方端が接続される電源コネクタ３とを主たる構成として有している。なお、電源コネクタ３は、外部に設けられたランプ電力を発生する電源回路の電源コネクタ（図示せず）に接続されるコネクタであり、抜き差し自在の構造となっている。
【００１２】
ランプ電力供給ケーブルＣ１は、ランプ４を点灯させるための高圧パルスを供給し、ランプ点灯後にはランプ点灯を維持するための電力を供給するケーブルであり、その他方端には電極端子１が接続されている。そして、当該電極端子１は、ランプ４の側面に設けられた電極部となるワイヤ引き出し口２に接続される構成となっている。
【００１３】
また、ランプ電力供給ケーブルＣ２は、ランプ４を点灯させるための高圧パルスを供給
し、ランプ点灯後にはランプ点灯を維持するための電力を供給するケーブルであり、その他方端には電極端子２１が接続されている。そして、当該電極端子２１は、ランプ４のネック部分２３の終端部に設けられた電極部となるワイヤ引き出し口２２に接続される構成となっている。なお、ランプハウジング５にはランプ４を支持するための構成が設けられているが、発明との関連性が薄いので、図示等は省略している。
【００１４】
ランプハウジング５には、これらが収納されてランプユニット５０を構成し、図２に示すように、ランプユニット５０が投射型プロジェクタ１００内に組み込まれて、光源として機能し、そこからの光が投射型プロジェクタ１００内の図示されない光学部品（レンズ、ミラー、液晶パネル等のライトバルブ）を通して、最終的には投射レンズユニット１０から出射されて、所定のスクリーンに映像として投射される。
【００１５】
投射型プロジェクタでは、高輝度を実現するために、その光源として高圧水銀ランプを使用しているが、ランプ点灯時には高圧パルスを与える必要がある。そして、電源回路からランプ電力供給ケーブルＣ１および電極端子１を介してワイヤの引き出し口２に高圧パルスが印加される。高圧パルスは短期間とはいえ、数ｋＶから１５ｋＶ程度の電圧となるため、ＵＬ規格などの安全規格で規定されている空間距離を満足させなければならない。
【００１６】
特に高圧パルス印加部が露出する電極端子１およびワイヤの引き出し口２および２２への作業者の手の接近を防止する必要がある。すなわち、ランプハウジング５は、図１においては筐体のように示したが、実際にはランプ４で発生する熱の放熱のために、ランプ４を囲む壁面が最小限となるように構成されており、その大部分は開口部となっている。特に、ランプ４のリフレクタ部分は開口部となっており、その表面に設けられたワイヤ引き出し口２は、作業者が最も接触しやすい位置にある。
【００１７】
ここで、例えば、ランプ点灯のための高圧パルスが１５ｋＶ、投射型プロジェクタ１００の最大定格電源電圧が２４０Ｖａｃ、海抜２０００ｍまでの使用という条件において、情報技術機器の安全規格である”UL Standard for Safety for Information Technology Equipment-Safety- Part 1: General Requirements, UL 60950-1 Second Edition”では、作業者と高圧パルス印加部との間に、約４２．５ｍｍの最小空間距離が確保されることを要求している。
【００１８】
これに対し、図２に示す投射型プロジェクタ１００においては、２つのランプユニット５０を有する場合、個々のランプユニットの位置を物理的に離し、かつ作業者が一方のランプ交換中に他方のランプの高圧パルス印加部に誤って接近しない構成を採ることで、一方のランプが点灯していても他方のランプを交換することが可能な構成としている。
【００１９】
＜動作＞
以下、図１および図２を参照しつつ、図３〜図１０を用いて投射型プロジェクタ１００におけるランプユニット５０の交換動作について説明する。
【００２０】
例えば、図２に示すように投射型プロジェクタ１００においては、ランプユニット５０は投射型プロジェクタ１００の筐体の背面、すなわち投射レンズユニット１０が設けられた側面とは反対側の側面から、ランプユニット５０の取り付け取り外しを行う構成となっており、ランプユニット５０の取り付け取り外しを行う際には、まず、背面に設けられたランプカバー１３を取り外す。なお、ランプカバー１３の取り外しに連動して、ランプへの電力供給が不可能となるように構成されており、ランプカバー１３を取り外した状態では、ランプが点灯しない構成となっている。なお、ランプユニット５０の取り外しは、投射型プロジェクタ１００の背面に限らず、映像投写方向以外の側面であれば何れの面においても取り外すことができるように構成することは可能である。
【００２１】
図３は、図２におけるＡ−Ａ線での矢視方向での断面を示す断面図であり、ランプユニット５０が投射型プロジェクタ１００内にあって、電源コネクタ３がランプ電力を発生する電源回路（図示せず）の電源コネクタ３１に接続された状態にある。この状態では、ランプユニット５０が投射型プロジェクタ１００内側に設けた保護カバー６を押し上げ、それに伴って、保護カバー６をランプ交換口１１側に付勢するバネ７が引き延ばされた状態にある。
【００２２】
保護カバー６は、一方の端縁部がランプ交換口１１側の投射型プロジェクタ１００内壁面に固定された片持ちの状態にあって、固定された端縁部を起点とした煽り動作が可能な構成となっている。このため、簡単な構成でランプ交換口１１の開閉が可能である。
【００２３】
また、保護カバー６の左右の端縁部であって、固定された端縁部とは反対側の端縁部寄りの位置にはバネ７の一方端が接続され、バネ７の他方端はランプ交換口１１側の投射型プロジェクタ１００内壁面に固定されている。なお、バネ７は、保護カバー６の左右の端縁部に設けられている。
【００２４】
このバネ７により保護カバー６がランプ交換口１１の方向に付勢されているので、ランプユニット５０の取り外しの際には、保護カバー６が確実にランプ交換口１１を覆うとともに、保護カバー６が簡単に開くことを防止できる。
【００２５】
なお、保護カバー６をランプ交換口１１の方向に付勢する付勢手段であればバネに限定されるものではなく、ゴムなど、他の弾性体であっても良い。
【００２６】
ここで、投射型プロジェクタ１００内には、ランプ交換口１１の近傍に保護カバー固定器８と呼称される機構が設けられている。保護カバー固定器８は、ランプユニット５０が投射型プロジェクタ１００内の所定位置に取り付けられている場合と、投射型プロジェクタ１００内から取り出された場合には、投射型プロジェクタ１００の底面側から、ランプユニット５０の方向に突出した状態となり、また、ランプユニット５０を取り付け取り外しを行う途中の過程では、投射型プロジェクタ１００の底面側に引き下がった状態となるように可動機構を有した構成となっている。
【００２７】
保護カバー固定器８は、ランプユニット５０が投射型プロジェクタ１００内から取り出され、保護カバー６がランプ交換口１１を内側から覆った状態となった場合に、投射型プロジェクタ１００の底面側から突出して保護カバー６の前面に位置することで、保護カバー６が、ランプ交換口１１の外側から押された場合でも、保護カバー６の煽り動作を規制する機能を有している。
【００２８】
ランプユニット５０を取り外すには、まず、ランプカバー１３を取り外し、ランプが点灯しない状態とし、作業者の手によって、図４に示すようにランプユニット５０をランプ交換口の１１方向（矢印の方向）に引き抜く。このとき、ランプユニット５０がランプ交換口１１の方向に移動するにつれて、バネ７の力でランプ交換口１１の方向に引っ張られて保護カバー６の煽り角度が小さくなる。
【００２９】
ここで、ランプユニット５０の外壁面、例えば側面には、マーカー１２と呼称されるランプユニット５０の位置を信号により報知する信号発生器が取り付けられ、投射型プロジェクタ１００のランプ交換口１１近傍の外壁面には、マーカー１２から報知されたランプユニット５０の位置を検出するマーカー検出器９が取り付けられている。
【００３０】
そして、ランプユニット５０がランプ交換口１１に近づくにつれてマーカー１２がマーカー検出器９に近づき、マーカー検出器９によってマーカー１２が検出される位置に到達すると、図４に示すように保護カバー６を固定するための保護カバー固定器８の位置が下がり始める。そして、バネ７が縮まって保護カバー６の煽り角度がさらに小さくなり、保護カバー６はランプ交換口１１に近づく。
【００３１】
ランプユニット５０がランプ交換口１１からさらに引き出され、マーカー１２がマーカー検出器９にさらに近づくと、図５に示されるように保護カバー固定器８の位置がさらに下がり、保護カバー固定器８は完全に開いた（機能が解除された）状態となる。また、バネ７がさらに縮まって保護カバー６の煽り角度がさらに小さくなり、保護カバー６はランプ交換口１１に近づく。この状態を投射型プロジェクタ１００の背面側から見た模式図を図６に示す。
【００３２】
図６に示すように、保護カバー固定器８はランプ交換口１１からは見えないほどに投射型プロジェクタ１００の底面側に引き下がっている。ここで、図６では保護カバー固定器８は、ランプ交換口１１の左右に２つ設けられた構成となっており、両者は連動して上下する。なお、保護カバー固定器８は図６のように、ランプ交換口１１の左右に２つ設ける構成に限定されるものではなく、さらに多くの個数を設けても良いし、１つだけであっても良い。
【００３３】
ランプユニット５０がランプ交換口１１から完全に引き出されると、図７に示されるように、バネ７が自然長にまで縮まり保護カバー６がランプ交換口１１を内側から覆った状態になるとともに、マーカー１２がマーカー検出器９から所定距離以上離れることで、保護カバー固定器８が投射型プロジェクタ１００の底面側から突出して閉じた（機能が動作した）状態となり保護カバー６の前面に位置することとなる。これにより、保護カバー６が、作業者の手などでランプ交換口１１の外側から押された場合でも、保護カバー６が内側に向けて開くことが防止され、作業者の手が、投射型プロジェクタ１００内に進入することが防止される。
【００３４】
一方、ランプハウジング５から寿命の尽きた古いランプ４を取り出して、新しいランプ４に入れ替え、ランプユニット５０を投射型プロジェクタ１００内に取り付ける場合、ランプユニット５０がランプ交換口１１に近づき、マーカー１２がマーカー検出器９に所定距離より近づくと、マーカー１２をマーカー検出器９が検出し、保護カバー固定器８は完全に開いた（機能が解除された）状態となる。なお、上記所定距離は、ランプハウジング５や保護カバー６の形状、マーカー１２とマーカー検出器９との位置関係などを考慮して決定される。この状態で、ランプユニット５０を保護カバー６に押しつけると、保護カバー６の煽り角度が広がり、さらに押し続けることで、保護カバー６がランプユニット５０に押し上げられ、ランプユニット５０は図５および図４を用いて説明したのと反対の過程を経て、投射型プロジェクタ１００内部に押し込まれる。ランプユニット５０を投射型プロジェクタ内に完全に押し込むと、コネクタ３がランプ電力を発生する電源回路（図示せず）の電源コネクタ３１に接続される。その後、投射型プロジェクタ１００の背面にランプカバー１３を作業者が取り付けることで、ランプの点灯が可能となる。
【００３５】
なお、投射型プロジェクタ１００内部には、レール状の搬送機構が設けられ、当該搬送機構によってランプユニット５０を支持するとともに、ランプユニット５０の抜き差しがスムーズに行える構成となっている。
【００３６】
ここで、マーカー検出器９およびマーカー１２の構成としては、マーカー１２が電磁的あるいは光学的な信号を発し、マーカー検出器９がそれを検出する構成を採ることが考えられるが、マーカー１２からの信号の有無、あるいは強弱によって、マーカー１２の位置、すなわちランプユニット５０の位置を検出できるのであれば、その方法は限定されるものではない。
【００３７】
図８には、ランプユニット５０におけるマーカー１２の配置例を示す。マーカー１２は、ランプハウジング５の側面のうち光を投射する側面を前面とするなら、左右の側面の前面に近い部分に設ける。また、マーカー１２の個数に制限はないが、図８に示すように、左右の側面で異なる個数および非対称な配置となるように設け、その位置に対応するようにマーカー検出器９をランプ交換口１１の周囲に３個配置する（図９）。なお、マーカー１２は、ランプハウジング５の前面の４隅のうち３箇所に設けることで非対称な配置としても良い。
【００３８】
このようにマーカー１２およびマーカー検出器９をそれぞれ３個ずつ配置し、対応する関係となるように設定することで、不適切な向きにランプユニット５０が挿入されることを防止できる。
【００３９】
これを、図９および図１０を用いて説明する。図９は、図８のようにランプハウジング５の左右の側面で非対称な配置となるようにマーカー１２を設けたランプユニット５０を正しい向きでランプ交換口１１から挿入しようとする状態を示している。この場合、マーカー１２の配置とマーカー検出器９の配置とが完全に一致するので、マーカー１２がマーカー検出器９に所定距離より近づくと、マーカー１２をマーカー検出器９が検出し、保護カバー固定器８は完全に開き、ランプユニット５０を保護カバー６に押しつけるにつれて、保護カバー６の煽り角度が広がる状態を示している。
【００４０】
一方、図１０は、図８のようにランプハウジング５の左右の側面で非対称な配置となるようにマーカー１２を設けたランプユニット５０を上下逆の不適切な向きでランプ交換口１１から挿入しようとする状態を示している。この場合、マーカー１２の配置とマーカー検出器９の配置とが完全には一致しないので、マーカー１２がマーカー検出器９に所定距離より近づいても、マーカー１２をマーカー検出器９が検出せず、保護カバー固定器８は閉じた状態を維持し、ランプユニット５０を保護カバー６に押しつけても、保護カバー６を開くことができない状態を示している。
【００４１】
このように、不適切な向きにランプユニット５０が挿入されることを防止することができる。なお、上記の場合、マーカー１２の配置とマーカー検出器９の配置とが完全に一致して、全てのマーカー検出器９から検出信号が出力されないと、保護カバー固定器８が開かないように構成しておく。
【００４２】
なお、ランプハウジング５の前面または側面にマーカー１２を１個配置し、ランプ交換口１１にもマーカー検出器９を１個しか取り付けない場合は、図１０のようにランプユニット５０を不適切な向きでランプ交換口１１に近づけた場合でも、マーカー１２およびマーカー検出器９の位置関係によっては、マーカー検出器９がマーカー１２を検出して、保護カバー固定器８が完全に開く可能性もある。
【００４３】
これは、ランプハウジング５の前面の対角する位置にマーカー１２を２個配置し、ランプ交換口１１にもマーカー検出器９を２個しか取り付けない場合でも同じであり、図１０のようにランプユニット５０を不適切な向きでランプ交換口１１に近づけた場合でも、マーカー１２とマーカー検出器９の位置が一致するので、マーカー検出器９がマーカー１２を検出して、保護カバー固定器８が完全に開く可能性もある。
【００４４】
なお、上記のマーカー１２およびマーカー検出器９を２個ずつ配置した場合、予め定めた特定のマーカー１２が、特定のマーカー検出器９に接近した場合しか保護カバー固定器８を開かないように構成すれば、ランプユニット５０を不適切な向きでランプ交換口１１に近づけた場合には、保護カバー固定器８が開かないように構成することは可能であるが、マーカー１２およびマーカー検出器９の構成および制御は複雑になる。
【００４５】
ここで、保護カバー固定器８は、マーカー検出器９が検出するマーカー１２からの信号が比較的強い状態、すなわち、マーカー１２がマーカー検出器９の比較的近くに存在している状態では投射型プロジェクタ１００の底面側に引き下がった状態を採り、マーカー１２からの信号が弱くなった状態、すなわち、マーカー１２がマーカー検出器９から所定距離以上離れた状態では、投射型プロジェクタ１００の底面側から突出した状態を採ることができるのであれば、その可動機構はどのようなものであっても良い。例えば、マーカー検出器９が出力する検出信号を受けて回動するモータを設け、モータの回動によってピン状の構成が上下するように歯車を組み合わせた構成が考えられる。
【００４６】
なお、保護カバー固定器８は、図３〜図６に示したようなピン状の構成を上下させる構成に限定されるものではなく、板状の構成を上下させても良い。
【００４７】
＜効果＞
以上説明した投射型プロジェクタ１００においては、ランプユニット５０を取り外した状態においては、保護カバー固定器８が閉じた状態となり、保護カバー６が、作業者の手などでランプ交換口１１の外側から押された場合でも、保護カバー６が内側に向けて開くことが防止され、作業者の手が投射型プロジェクタ１００内に進入して、高圧パルスが印加される部分に接触することや、点灯しているランプからの強い光や紫外線の漏れを最小限に抑えることができる。さらに、保護カバー６を設けることで個々のランプの高圧パルス印加部からの空間距離を確保することができるので、複数のランプを近接して配置することが可能となり、複数のランプを備えた投射型プロジェクタであっても小型化が可能となる。
【００４８】
＜変形例＞
ランプユニット５０を投射型プロジェクタ１００に出し入れする際に、作業者の手が投射型プロジェクタ１００内部に入らないように、ランプ交換口１１の開口部の寸法をランプハウジング５の最大部分が通り抜けられる程度（最大部分の１．１倍程度）に設定することで、安全性を確保することが可能となる。
【００４９】
また、あるランプを点灯させている間に他のランプを交換する場合、保護カバー６が開いている間は強い光や紫外線が投射型プロジェクタ外部に放射される可能性があるが、マーカー検出器９がマーカー１２が近くにあることを検出している時間が所定の期間Ｔ１以上になった場合、すなわち、ランプユニット５０の取り付け、取り外しに必要以上に時間がかかっている場合には、警告音を発する放音部を備えることで、聴覚により作業者に注意を促すことができる。
【００５０】
なお、警告音の代わりに投射映像に警告メッセージを表示するように、警告表示機能を投射型プロジェクタ１００に持たせるようにしても良い。これにより、視覚により作業者に注意を促すことができる。この機能は、投射型プロジェクタ１００の映像制御に使用されるソフトウエアにより実現することができる。
【００５１】
さらに、警告音を発したり、警告メッセージを表示してもマーカー検出器９がマーカー１２の接近を検出している状態が続き、その時間が期間Ｔ１よりも長い期間Ｔ２以上になれば、点灯している方のランプを消灯する機能を持たせても良い。これにより、安全をより確実なものとすることができる。この機能は、投射型プロジェクタ１００のランプのオン、オフ制御に使用されるソフトウエアにより実現することができる。
【符号の説明】
【００５２】
３  電源コネクタ、４  ランプ、５  ランプハウジング、６  保護カバー、８  保護カバー固定器、９  マーカー検出器、１１  ランプ交換口、１２  マーカー、５０  ランプユニット。
【図１】
2012113029.tif 000003
【図２】
2012113029.tif 000004
【図３】
2012113029.tif 000005
【図４】
2012113029.tif 000006
【図５】
2012113029.tif 000007
【図６】
2012113029.tif 000008
【図７】
2012113029.tif 000009
【図８】
2012113029.tif 000010
【図９】
2012113029.tif 000011
【図１０】
2012113029.tif 000012